(57)【要約】      （修正有）【課題】本発明の目的は、一つの用具で手首、肘、肩のリハビリを簡易に行うことができる好適なリハビリ用具及びリハビリ用具の移動体の移動方法を提供するものである。【解決手段】リハビリ用具Ｔは、本体１と、この本体１に設けられ、渦巻状に形成された外側溝部１Ｓと、本体１に設けられ、外側溝部１Ｓに連通し、外側溝部１Ｓの内側に位置すると共に、外側溝部１Ｓに沿って形成された内側溝部１Ｕと、この内側溝部１Ｕ及び外側溝部１Ｓに移動自在に設けられた移動体２とを備え、外側溝部１Ｓと内側溝部１Ｕは連通して、移動体２の循環路Ｚを形成し、外側溝部１Ｓは、中心に向かって順次、肩を使用して移動体２を移動できる肩領域外側溝部１Ｓ１、肘を使用して移動体２を移動できる肘領域外側溝部１Ｓ２、手首を使用して移動体２を移動できる手首領域外側溝部１Ｓ３を有する。【選択図】図１
2018175262.tif 000002
【特許請求の範囲】
【請求項１】
本体と、
この本体に設けられ、渦巻状に形成された外側溝部と、
前記本体に設けられ、前記外側溝部に連通し、前記外側溝部の内側に位置すると共に、前記外側溝部に沿って形成された内側溝部と、
この内側溝部及び前記外側溝部に移動自在に設けられた移動体とを備え、
前記外側溝部と前記内側溝部は連通して、前記移動体の循環路を形成し、
前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、
前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有する
ことを特徴とするリハビリ用具。
【請求項２】
本体と、
この本体に設けられ、渦巻状に形成された外側溝部と、
前記本体に設けられ、前記外側溝部に連通し、前記外側溝部の内側に位置すると共に、前記外側溝部に沿って形成された内側溝部と、
この内側溝部及び前記外側溝部に移動自在に設けられた移動体とを備え、
前記外側溝部と前記内側溝部は連通して、前記移動体の循環路を形成し、
前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、
前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有し、
手で前記移動体を把持又は固定部材を介して前記移動体に手を固定し、
手を移動させて前記移動体を前記外側溝部及び前記内側溝部に沿って移動させる
ことを特徴とするリハビリ用具の移動体の移動方法。
【請求項３】
本体と、
この本体に設けられ、渦巻状に形成された溝部と、
この溝部は、中心に向かって順次、肩を使用して前記移動体を移動できる肩領域溝部、肘を使用して前記移動体を移動できる肘領域溝部、手首を使用して前記移動体を移動できる手首領域溝部を有する
ことを特徴とするリハビリ用具。
【請求項４】
本体と、
この本体に設けられ、渦巻状に形成された溝部と、
この溝部は、中心に向かって順次、肩を使用して前記移動体を移動できる肩領域溝部、肘を使用して前記移動体を移動できる肘領域溝部、手首を使用して前記移動体を移動できる手首領域溝部を有し、
手で前記移動体を把持又は固定部材を介して前記移動体に手を固定し、
手を移動させて前記移動体を前記溝部に沿って移動させる
ことを特徴とするリハビリ用具の移動体の移動方法。
【請求項５】
本体と、
この本体に設けられ、中心に向かって順次、小さくなる多角形を連通して形成された外側溝部と、
前記本体に設けられ、前記外側溝部に連通し、前記外側溝部の内側に位置すると共に、前記外側溝部に沿って形成された内側溝部と、
この内側溝部及び前記外側溝部に移動自在に設けられた移動体とを備え、
前記外側溝部と前記内側溝部は連通して、前記移動体の循環路を形成し、
前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、
前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有する
ことを特徴とするリハビリ用具。
【請求項６】
本体と、
この本体に設けられ、中心に向かって順次、小さくなる多角形を連通して形成された外側溝部と、
前記本体に設けられ、前記外側溝部に連通し、前記外側溝部の内側に位置すると共に、前記外側溝部に沿って形成された内側溝部と、
この内側溝部及び前記外側溝部に移動自在に設けられた移動体とを備え、
前記外側溝部と前記内側溝部は連通して、前記移動体の循環路を形成し、
前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、
前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有し、
手で前記移動体を把持又は固定部材を介して前記移動体に手を固定し、
手を移動させて前記移動体を前記外側溝部及び前記内側溝部に沿って移動させる
ことを特徴とするリハビリ用具の移動体の移動方法。
【請求項７】
本体と、
この本体に設けられ、中心に向かって順次、小さくなる多角形を連通して形成された溝部と、
この溝部は、中心に向かって順次、肩を使用して前記移動体を移動できる肩領域溝部、肘を使用して前記移動体を移動できる肘領域溝部、手首を使用して前記移動体を移動できる手首領域溝部を有する
ことを特徴とするリハビリ用具。
【請求項８】
本体と、
この本体に設けられ、中心に向かって順次、小さくなる多角形を連通して形成された溝部と、
この溝部は、中心に向かって順次、肩を使用して前記移動体を移動できる肩領域溝部、肘を使用して前記移動体を移動できる肘領域溝部、手首を使用して前記移動体を移動できる手首領域溝部を有し、
手で前記移動体を把持又は固定部材を介して前記移動体に手を固定し、
手を移動させて前記移動体を前記溝部に沿って移動させる
ことを特徴とするリハビリ用具の移動体の移動方法。
【請求項９】
本体と、
この本体に設けられ、曲線に形成された第１の曲線溝部と、
前記本体に設けられ、前記第１の曲線溝部に連通し、直線状に形成された直線状溝部と、
前記本体に設けられ、前記直線状溝部に連通し、曲線に形成された第２の曲線溝部と、
この第２の曲線溝部、前記直線状溝部及び前記第１の曲線溝部に移動自在に設けられた移動体とを備え、
前記第２の曲線溝部の曲率は、前記第１の曲線溝部の曲率より大であり、
前記第１の曲線溝部は、手首を使用して前記移動体を移動できる手首使用領域であり、
前記直線状溝部は、肩を使用して前記移動体を移動できる肩領域であり、
前記第２の曲線溝部は、肘を使用して前記移動体を移動できる肘領域である
ことを特徴とするリハビリ用具。
【請求項１０】
本体と、
この本体に設けられ、曲線に形成された第１の曲線溝部と、
前記本体に設けられ、前記第１の曲線溝部に連通し、直線状に形成された直線状溝部と、
前記本体に設けられ、前記直線状溝部に連通し、曲線に形成された第２の曲線溝部と、
この第２の曲線溝部、前記直線状溝部及び前記第１の曲線溝部に移動自在に設けられた移動体とを備え、
前記第２の曲線溝部の曲率は、前記第１の曲線溝部の曲率より大であり、
前記第１の曲線溝部は、手首を使用して前記移動体を移動できる手首使用領域であり、
前記直線状溝部は、肩を使用して前記移動体を移動できる肩領域であり、
前記第２の曲線溝部は、肘を使用して前記移動体を移動できる肘領域であり、
手で前記移動体を把持又は固定部材を介して前記移動体に手を固定し、
手を移動させて前記移動体を前記第１の曲線溝部、前記直線状溝部及び前記第２の曲線溝部に沿って移動させる
ことを特徴とするリハビリ用具の移動体の移動方法。
【請求項１１】
本体と、
この本体に設けられ、折り返す折り返し溝部と、
前記本体に設けられ、前記折り返し溝部に連通し、直線状に形成された直線状溝部と、
前記本体に設けられ、前記直線状溝部に連通し、曲線に形成された曲線溝部と、
この曲線溝部、前記直線状溝部及び前記折り返し溝部に移動自在に設けられた移動体と、
前記直線状溝部から前記曲線溝部への移動の際、手の移動動作が異なることを知らせる表示部とを備えている
ことを特徴とするリハビリ用具。
【請求項１２】
外側溝部及び／又は内側溝部の肩を使用する肩領域に肩領域表示部、肘を使用する肘領域に肘領域表示部、手首を使用する手首領域に手首領域表示部が設けられている
ことを特徴とする請求項１又は請求項５記載のリハビリ用具。
【請求項１３】
外側溝部及び／又は内側溝部の肩を使用する肩領域に肩領域表示部、肘を使用する肘領域に肘領域表示部、手首を使用する手首領域に手首領域表示部が設けられている
ことを特徴とする請求項２又は請求項６記載のリハビリ用具の移動体の移動方法。
【請求項１４】
溝部の肩を使用する肩領域に肩領域表示部、肘を使用する肘領域に肘領域表示部、手首を使用する手首領域に手首領域表示部が設けられている
ことを特徴とする請求項３又は請求項７記載のリハビリ用具。
【請求項１５】
溝部の肩を使用する肩領域に肩領域表示部、肘を使用する肘領域に肘領域表示部、手首を使用する手首領域に手首領域表示部が設けられている
ことを特徴とする請求項４又は請求項８記載のリハビリ用具の移動体の移動方法。
【発明の詳細な説明】
【技術分野】
【０００１】
本発明は、リハビリ用具及びリハビリ用具の移動体の移動方法に係り、特に、一つの用具で手首、肘、肩のリハビリを簡易に行うことができる好適なリハビリ用具及びリハビリ用具の移動体の移動方法に関する。
【背景技術】
【０００２】
患者の上肢の運動機能を回復させる訓練を行うための上肢リハビリ装置がある（例えば、特許文献１参照）。
この上肢リハビリ装置は、患者の手首の３自由度のうち、少なくとも１自由度の作動に対して駆動を伝達して患者に力学的感覚を伝える少なくとも１個の駆動手段と、前記駆動手段の駆動を調整する少なくとも１個の機能性流体クラッチと、患者の肘および肩の３自由度の作動に対して駆動を伝達して患者に力学的感覚を伝える、３個の駆動手段と、少なくとも３個の機能性流体クラッチと、を有するものである。
【先行技術文献】
【特許文献】
【０００３】
【特許文献１】特許第5096533号公報
【発明の概要】
【発明が解決しようとする課題】
【０００４】
しかしながら、上記上肢リハビリ装置にあっては、１自由度の作動に対して駆動を伝達して患者に力学的感覚を伝える少なくとも１個の駆動手段、前記駆動手段の駆動を調整する少なくとも１個の機能性流体クラッチ、患者の肘および肩の３自由度の作動に対して駆動を伝達して患者に力学的感覚を伝える、３個の駆動手段、少なくとも３個の機能性流体クラッチ等を必要とし、大掛かりになるという問題点があった。
【０００５】
本発明は、上記問題点を考慮してなされたリハビリ用具及びリハビリ用具の移動体の移動方法を提供することを目的とする。
【課題を解決するための手段】
【０００６】
請求項１記載のリハビリ用具は、本体と、この本体に設けられ、渦巻状に形成された外側溝部と、前記本体に設けられ、前記外側溝部に連通し、前記外側溝部の内側に位置すると共に、前記外側溝部に沿って形成された内側溝部と、この内側溝部及び前記外側溝部に移動自在に設けられた移動体とを備え、前記外側溝部と前記内側溝部は連通して、前記移動体の循環路を形成し、前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有するものである。
【０００７】
また、請求項２記載のリハビリ用具の移動体の移動方法は、本体と、この本体に設けられ、渦巻状に形成された外側溝部と、前記本体に設けられ、前記外側溝部に連通し、前記外側溝部の内側に位置すると共に、前記外側溝部に沿って形成された内側溝部と、この内側溝部及び前記外側溝部に移動自在に設けられた移動体とを備え、前記外側溝部と前記内側溝部は連通して、前記移動体の循環路を形成し、前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有し、手で前記移動体を把持又は固定部材を介して前記移動体に手を固定し、手を移動させて前記移動体を前記外側溝部及び前記内側溝部に沿って移動させるものである。
【０００８】
また、請求項３記載のリハビリ用具は、本体と、この本体に設けられ、渦巻状に形成された溝部と、この溝部は、中心に向かって順次、肩を使用して前記移動体を移動できる肩領域溝部、肘を使用して前記移動体を移動できる肘領域溝部、手首を使用して前記移動体を移動できる手首領域溝部を有するものである。
【０００９】
また、請求項４記載のリハビリ用具の移動体の移動方法は、本体と、この本体に設けられ、渦巻状に形成された溝部と、この溝部は、中心に向かって順次、肩を使用して前記移動体を移動できる肩領域溝部、肘を使用して前記移動体を移動できる肘領域溝部、手首を使用して前記移動体を移動できる手首領域溝部を有し、手で前記移動体を把持又は固定部材を介して前記移動体に手を固定し、手を移動させて前記移動体を前記溝部に沿って移動させるものである。
【００１０】
また、請求項５記載のリハビリ用具は、本体と、この本体に設けられ、中心に向かって順次、小さくなる多角形を連通して形成された外側溝部と、前記本体に設けられ、前記外側溝部に連通し、前記外側溝部の内側に位置すると共に、前記外側溝部に沿って形成された内側溝部と、この内側溝部及び前記外側溝部に移動自在に設けられた移動体とを備え、前記外側溝部と前記内側溝部は連通して、前記移動体の循環路を形成し、前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有するものである。
【００１１】
また、請求項６記載のリハビリ用具の移動体の移動方法は、本体と、この本体に設けられ、中心に向かって順次、小さくなる多角形を連通して形成された外側溝部と、前記本体に設けられ、前記外側溝部に連通し、前記外側溝部の内側に位置すると共に、前記外側溝部に沿って形成された内側溝部と、この内側溝部及び前記外側溝部に移動自在に設けられた移動体とを備え、前記外側溝部と前記内側溝部は連通して、前記移動体の循環路を形成し、前記外側溝部は、中心に向かって順次、肩を使用して前記移動体を移動できる肩領域外側溝部、肘を使用して前記移動体を移動できる肘領域外側溝部、手首を使用して前記移動体を移動できる手首領域外側溝部を有し、前記内側溝部は、中心に向かって順次、肩を使用して前記移動体を移動できる肩領域内側溝部、肘を使用して前記移動体を移動できる肘領域内側溝部、手首を使用して前記移動体を移動できる手首領域内側溝部を有し、手で前記移動体を把持又は固定部材を介して前記移動体に手を固定し、手を移動させて前記移動体を前記外側溝部及び前記内側溝部に沿って移動させるものである。
【００１２】
また、請求項７記載のリハビリ用具は、本体と、この本体に設けられ、中心に向かって順次、小さくなる多角形を連通して形成された溝部と、この溝部は、中心に向かって順次、肩を使用して前記移動体を移動できる肩領域溝部、肘を使用して前記移動体を移動できる肘領域溝部、手首を使用して前記移動体を移動できる手首領域溝部を有するものである。
【００１３】
また、請求項８記載のリハビリ用具の移動体の移動方法は、本体と、この本体に設けられ、中心に向かって順次、小さくなる多角形を連通して形成された溝部と、この溝部は、中心に向かって順次、肩を使用して前記移動体を移動できる肩領域溝部、肘を使用して前記移動体を移動できる肘領域溝部、手首を使用して前記移動体を移動できる手首領域溝部を有し、手で前記移動体を把持又は固定部材を介して前記移動体に手を固定し、手を移動させて前記移動体を前記溝部に沿って移動させるものである。
【００１４】
また、請求項９記載のリハビリ用具は、本体と、この本体に設けられ、曲線に形成された第１の曲線溝部と、前記本体に設けられ、前記第１の曲線溝部に連通し、直線状に形成された直線状溝部と、前記本体に設けられ、前記直線状溝部に連通し、曲線に形成された第２の曲線溝部と、この第２の曲線溝部、前記直線状溝部及び前記第１の曲線溝部に移動自在に設けられた移動体とを備え、前記第２の曲線溝部の曲率は、前記第１の曲線溝部の曲率より大であり、前記第１の曲線溝部は、手首を使用して前記移動体を移動できる手首使用領域であり、前記直線状溝部は、肩を使用して前記移動体を移動できる肩領域であり、前記第２の曲線溝部は、肘を使用して前記移動体を移動できる肘領域である。
【００１５】
また、請求項１０記載のリハビリ用具の移動体の移動方法は、本体と、この本体に設けられ、曲線に形成された第１の曲線溝部と、前記本体に設けられ、前記第１の曲線溝部に連通し、直線状に形成された直線状溝部と、前記本体に設けられ、前記直線状溝部に連通し、曲線に形成された第２の曲線溝部と、この第２の曲線溝部、前記直線状溝部及び前記第１の曲線溝部に移動自在に設けられた移動体とを備え、前記第２の曲線溝部の曲率は、前記第１の曲線溝部の曲率より大であり、前記第１の曲線溝部は、手首を使用して前記移動体を移動できる手首使用領域であり、前記直線状溝部は、肩を使用して前記移動体を移動できる肩領域であり、前記第２の曲線溝部は、肘を使用して前記移動体を移動できる肘領域であり、手で前記移動体を把持又は固定部材を介して前記移動体に手を固定し、手を移動させて前記移動体を前記第１の曲線溝部、前記直線状溝部及び前記第２の曲線溝部に沿って移動させるものである。
【００１６】
また、請求項１１記載のリハビリ用具は、本体と、この本体に設けられ、折り返す折り返し溝部と、前記本体に設けられ、前記折り返し溝部に連通し、直線状に形成された直線状溝部と、前記本体に設けられ、前記直線状溝部に連通し、曲線に形成された曲線溝部と、この曲線溝部、前記直線状溝部及び前記折り返し溝部に移動自在に設けられた移動体と、前記直線状溝部からものである。
【００１７】
また、請求項１２記載のリハビリ用具は、請求項１又は請求項５記載のリハビリ用具において、外側溝部及び／又は内側溝部の肩を使用する肩領域に肩領域表示部、肘を使用する肘領域に肘領域表示部、手首を使用する手首領域に手首領域表示部が設けられているものである。
【００１８】
また、請求項１３記載のリハビリ用具の移動体の移動方法は、請求項２又は請求項６記載のリハビリ用具の移動体の移動方法において、 外側溝部及び／又は内側溝部の肩を使用する肩領域に肩領域表示部、肘を使用する肘領域に肘領域表示部、手首を使用する手首領域に手首領域表示部が設けられているものである。
【００１９】
また、請求項１４記載のリハビリ用具は、請求項３又は請求項７記載のリハビリ用具において、溝部の肩を使用する肩領域に肩領域表示部、肘を使用する肘領域に肘領域表示部、手首を使用する手首領域に手首領域表示部が設けられているものである。
【００２０】
また、請求項１５記載のリハビリ用具の移動体の移動方法は、請求項４又は請求項８記載のリハビリ用具の移動体の移動方法において、溝部の肩を使用する肩領域に肩領域表示部、肘を使用する肘領域に肘領域表示部、手首を使用する手首領域に手首領域表示部が設けられているものである。
【発明の効果】
【００２１】
請求項１記載のリハビリ用具によれば、移動体を手で把持又は固定部材を介して移動体に手を固定して、手を移動させると、肩領域外側溝部で肩を使用して移動体を移動させれば肩のリハビリに、肘領域外側溝部で肘を使用して移動体を移動させれば肘のリハビリに、手首領域外側溝部で手首を使用して移動体を移動させれば手首のリハビリに、手首領域内側溝部で手首を使用して移動体を移動させれば手首のリハビリに、肘領域内側溝部で肘を使用して移動体を移動させれば肘のリハビリに、肩領域内側溝部で肩を使用して移動体を移動させれば肩のリハビリに、なる。つまり、一つのリハビリ用具で手首、肘、肩のリハビリを行うことができ、しかも、外側溝部と内側溝部は連通して、移動体の循環路を形成しているため、一連の動作を連続的にも行うことができる。
【００２２】
また、請求項２記載のリハビリ用具の移動体の移動方法によれば、移動体を手で把持又は固定部材を介して移動体に手を固定して、手を移動させると、肩領域外側溝部で肩を使用して移動体を移動させれば肩のリハビリに、肘領域外側溝部で肘を使用して移動体を移動させれば肘のリハビリに、手首領域外側溝部で手首を使用して移動体を移動させれば手首のリハビリに、手首領域内側溝部で手首を使用して移動体を移動させれば手首のリハビリに、肘領域内側溝部で肘を使用して移動体を移動させれば肘のリハビリに、肩領域内側溝部で肩を使用して移動体を移動させれば肩のリハビリに、なる。つまり、一つのリハビリ用具で手首、肘、肩のリハビリを行うことができ、しかも、外側溝部と内側溝部は連通して、移動体の循環路を形成しているため、一連の動作を連続的にも行うことができる。
【００２３】
請求項３記載のリハビリ用具によれば、移動体を手で把持又は固定部材を介して移動体に手を固定して、手を移動させると、肩領域溝部で肩を使用して移動体を移動させれば肩のリハビリに、肘領域溝部で肘を使用して移動体を移動させれば肘のリハビリに、手首領域溝部で手首を使用して移動体を移動させれば手首のリハビリに、なる。つまり、一つのリハビリ用具で手首、肘、肩のリハビリを行うことができる。
【００２４】
また、請求項４記載のリハビリ用具の移動体の移動方法によれば、移動体を手で把持又は固定部材を介して移動体に手を固定して、手を移動させると、肩領域溝部で肩を使用して移動体を移動させれば肩のリハビリに、肘領域溝部で肘を使用して移動体を移動させれば肘のリハビリに、手首領域溝部で手首を使用して移動体を移動させれば手首のリハビリに、なる。つまり、一つのリハビリ用具で手首、肘、肩のリハビリを行うことができる。
【００２５】
また、請求項５記載のリハビリ用具によれば、移動体を手で把持又は固定部材を介して移動体に手を固定して、手を移動させると、肩領域外側溝部で肩を使用して移動体を移動させれば肩のリハビリに、肘領域外側溝部で肘を使用して移動体を移動させれば肘のリハビリに、手首領域外側溝部で手首を使用して移動体を移動させれば手首のリハビリに、手首領域内側溝部で手首を使用して移動体を移動させれば手首のリハビリに、肘領域内側溝部で肘を使用して移動体を移動させれば肘のリハビリに、肩領域内側溝部で肩を使用して移動体を移動させれば肩のリハビリに、なる。つまり、一つのリハビリ用具で手首、肘、肩のリハビリを行うことができ、しかも、外側溝部と内側溝部は連通して、移動体の循環路を形成しているため、一連の動作を連続的にも行うことができる。
【００２６】
また、請求項６記載のリハビリ用具の移動体の移動方法によれば、移動体を手で把持又は固定部材を介して移動体に手を固定して、手を移動させると、肩領域外側溝部で肩を使用して移動体を移動させれば肩のリハビリに、肘領域外側溝部で肘を使用して移動体を移動させれば肘のリハビリに、手首領域外側溝部で手首を使用して移動体を移動させれば手首のリハビリに、手首領域内側溝部で手首を使用して移動体を移動させれば手首のリハビリに、肘領域内側溝部で肘を使用して移動体を移動させれば肘のリハビリに、肩領域内側溝部で肩を使用して移動体を移動させれば肩のリハビリに、なる。つまり、一つのリハビリ用具で手首、肘、肩のリハビリを行うことができ、しかも、外側溝部と内側溝部は連通して、移動体の循環路を形成しているため、一連の動作を連続的にも行うことができる。
【００２７】
また、請求項７記載のリハビリ用具によれば、移動体を手で把持又は固定部材を介して移動体に手を固定して、手を移動させると、肩領域溝部で肩を使用して移動体を移動させれば肩のリハビリに、肘領域溝部で肘を使用して移動体を移動させれば肘のリハビリに、手首領域溝部で手首を使用して移動体を移動させれば手首のリハビリに、なるものである。つまり、一つのリハビリ用具で手首、肘、肩のリハビリを行うことができる。
【００２８】
また、請求項８記載のリハビリ用具の移動体の移動方法によれば、移動体を手で把持又は固定部材を介して移動体に手を固定して、手を移動させると、肩領域溝部で肩を使用して移動体を移動させれば肩のリハビリに、肘領域溝部で肘を使用して移動体を移動させれば肘のリハビリに、手首領域溝部で手首を使用して移動体を移動させれば手首のリハビリに、なるものである。つまり、一つのリハビリ用具で手首、肘、肩のリハビリを行うことができる。
【００２９】
また、請求項９記載のリハビリ用具によれば、移動体を手で把持又は固定部材を介して移動体に手を固定して、手を移動させると、第１の曲線溝部で手首を使用して移動体を移動させれば手首のリハビリに、直線状溝部で肩を使用して移動体を移動させれば肩のリハビリに、第２の曲線溝部で肘を使用して移動体を移動させれば肘のリハビリに、なるものである。つまり、一つのリハビリ用具で手首、肘、肩のリハビリを行うことができる。  
【００３０】
また、請求項１０記載のリハビリ用具の移動体の移動方法によれば、移動体を手で把持又は固定部材を介して移動体に手を固定して、手を移動させると、第１の曲線溝部で手首を使用して移動体を移動させれば手首のリハビリに、直線状溝部で肩を使用して移動体を移動させれば肩のリハビリに、第２の曲線溝部で肘を使用して移動体を移動させれば肘のリハビリに、なるものである。つまり、一つのリハビリ用具で手首、肘、肩のリハビリを行うことができる。
【００３１】
また、請求項１１記載のリハビリ用具によれば、移動体を手で把持又は固定部材を介して移動体に手を固定して、手を移動させると、折り返し溝部で手首を使用して移動体を移動させれば手首のリハビリに、直線状溝部で肩を使用して移動体を移動させれば肩のリハビリに、曲線溝部で肘を使用して移動体を移動させれば肘のリハビリに、なるものである。つまり、一つのリハビリ用具で手首、肘、肩のリハビリを行うことができ、しかも、
前記直線状溝部から前記曲線溝部又は前記曲線溝部から前記直線状溝部への移動の際、手の移動動作が異なることを知らせる表示部（表示部は、文字でも良いが、文字の代わりに、色を使って、例えば、直線状溝部の近傍に沿って青色を、曲線溝部の近傍に沿って黄色を付して行うことができる。
【００３２】
また、請求項１２記載のリハビリ用具によれば、上述した請求項１又は請求項５記載の発明の効果に加え、外側溝部及び／又は内側溝部の肩を使用する肩領域に肩領域表示部、肘を使用する肘領域に肘領域表示部、手首を使用する手首領域に手首領域表示部が設けられているため、リハビリ用具を使用する際、表示がなされていないと、手の移動は、肩で代行できるため、肘領域表示部で肘を使用することを意識させ、手首領域表示部で手首を使用することを意識させて、一つのリハビリ用具で手首、肘、肩のリハビリを行うことができる。
【００３３】
また、請求項１３記載のリハビリ用具の移動体の移動方法によれば、上述した請求項２又は請求項６記載の発明の効果に加え、外側溝部及び／又は内側溝部の肩を使用する肩領域に肩領域表示部、肘を使用する肘領域に肘領域表示部、手首を使用する手首領域に手首領域表示部が設けられているため、リハビリ用具を使用する際、表示がなされていないと、手の移動は、肩で代行できるため、肘領域表示部で肘を使用することを意識させ、手首領域表示部で手首を使用することを意識させて、一つのリハビリ用具で手首、肘、肩のリハビリを行うことができる。
【００３４】
また、請求項１４記載のリハビリ用具によれば、上述した請求項３又は請求項７記載の発明の効果に加え、溝部の肩を使用する肩領域に肩領域表示部、肘を使用する肘領域に肘領域表示部、手首を使用する手首領域に手首領域表示部が設けられているため、リハビリ用具を使用する際、表示がなされていないと、手の移動は、肩で代行できるため、肘領域表示部で肘を使用することを意識させ、手首領域表示部で手首を使用することを意識させて、一つのリハビリ用具で手首、肘、肩のリハビリを行うことができる。
【００３５】
また、請求項１５記載のリハビリ用具の移動体の移動方法によれば、上述した請求項４又は請求項８記載の発明の効果に加え、外側溝部及び／又は内側溝部の肩を使用する肩領域に肩領域表示部、肘を使用する肘領域に肘領域表示部、手首を使用する手首領域に手首領域表示部が設けられているため、リハビリ用具を使用する際、表示がなされていないと、手の移動は、肩で代行できるため、肘領域表示部で肘を使用することを意識させ、手首領域表示部で手首を使用することを意識させて、一つのリハビリ用具で手首、肘、肩のリハビリを行うことができる。
【図面の簡単な説明】
【００３６】
【図１】図１は、本発明の一実施例のリハビリ用具の概略的斜視図である。
【図２】図２は、図１の概略的正面図である。
【図３】図３（ａ）は、図１の概略的右側面図であり、図３（ｂ）は、図３（ａ）の移動体近傍の概略的一部拡大断面図である。
【図４】図４（ａ）は、図１のリハビリ用具の手首領域外側溝部における使用例を、図４（ｂ）は、図１のリハビリ用具の肘領域外側溝部における使用例を、図４（ｃ）は、肩領域内側溝部における使用例を、それぞれ示した概略的図である。
【図５】図５は、図４の移動体を手で把持できない場合、固定部材（例えば、バンド）を介して移動体に手を固定した状態の概略的断面図である。
【図６】図６は、図１と異なる他の実施例のリハビリ用具の概略的正面図である。
【図７】図７は、図６と異なる他の実施例のリハビリ用具の概略的正面図である。
【図８】図８は、図７と異なる他の実施例のリハビリ用具の概略的正面図である。
【図９】図９は、図８と異なる他の実施例のリハビリ用具の概略的正面図である。
【発明を実施するための形態】
【００３７】
本発明の一実施例のリハビリ用具及びリハビリ用具の移動体の移動方法を図面（図１乃至図５）を参照して説明する。
図１に示すＴはリハビリ用具で、リハビリ用具Ｔは、例えば、脳卒中等の患者の上肢の運動機能を回復させる訓練を行うために用いる用具である。
【００３８】
リハビリ用具Ｔは、図１に示すように、本体１と、本体１に設けられ、渦巻状に形成された外側溝部１Ｓと、本体１に設けられ、外側溝部１Ｓに連通し、外側溝部１Ｓの内側に位置すると共に、外側溝部１Ｓに沿って形成された内側溝部１Ｕと、この内側溝部１Ｕ及び外側溝部１Ｓに移動自在に設けられた移動体２とを備え、外側溝部１Ｓと内側溝部１Ｕは連通して、移動体２の循環路Ｚを形成している。
なお、本体１の大きさは、例えば、９００ｍｍ×９００ｍｍである。
【００３９】
外側溝部１Ｓは、図２に示すように、中心に向かって順次、肩を使用して移動体２を移動できる肩領域外側溝部１Ｓ１、肘を使用して移動体２を移動できる肘領域外側溝部１Ｓ２、手首を使用して移動体２を移動できる手首領域外側溝部１Ｓ３を有している。
また、内側溝部１Ｕは、中心に向かって順次、肩を使用して移動体２を移動できる肩領域内側溝部１Ｕ１、肘を使用して移動体２を移動できる肘領域内側溝部１Ｕ２、手首を使用して移動体２を移動できる手首領域内側溝部１Ｕ３を有する。
【００４０】
本体１は、例えば、図３（ａ）（ｂ）に示すように、表面部材１１と裏面部材１２とを有し、外側溝部１Ｓと内側溝部１Ｕは、表面部材１１と裏面部材１２との間に形成されている。
移動体２は、例えば、図３（ｂ）に示すように、移動体を手で把持する把持部（例えば、球体）２１、把持部（例えば、球体）２１を支持する支持体２２、移動体２が外側溝部１Ｓ、内側溝部１Ｕの溝部から離脱しないように支持体２２の端部に取り付けられたストッパー２３とを有している。Ｆは、フェルトである。
なお、支持体（支持体は、例えば、ボルトである。）２２の先端側に雄ねじが形成され、先端側の雄ねじが把持部（例えば、球体）２１に設けられた雌ネジに螺合し、後端側のヘッドがストッパー（例えば、ボルトのヘッド）２３となっている。
また、把持部（例えば、球体）２１を把持できない場合には、例えば、図５に示すように、支持体２２をＬ字形状のものを使用し、固定部材（例えば、バンド）２４を介して移動体２に手を固定するようにしても良い。
また、図６に示すように、外側溝部１Ｓ及び／又は内側溝部１Ｕの肩を使用する肩領域に肩領域表示部Ｎ１（肩領域表示部Ｎ１は、「肩を使用」の文字を表示している。なお、「肩を使用」の文字の代わりに、「肩」の文字のみでも良いし、縦線［又は色（例えば、赤）が肩領域で有る旨を使用者に予め説明乃至間接的に表示しても良い。）、肘を使用する肘領域に肘領域表示部Ｎ２（肘領域表示部Ｎ２は、「肘を使用」の文字を表示している。なお、「肘を使用」の文字の代わりに、「肘」の文字のみでも良いし、縦線［又は色（例えば、黄）が肘領域で有る旨を使用者に予め説明乃至間接的に表示しても良い。）、手首を使用する手首領域に手首領域表示部Ｎ３（手首領域表示部Ｎ３は、「手首を使用」の文字を表示している。なお、「肘首を使用」の文字の代わりに、「手首」の文字のみでも良いし、縦線［又は色（例えば、青）が手首領域で有る旨を使用者に予め説明乃至間接的に表示しても良い。）が設けられるようにすると良い。
これは、リハビリ用具Ｔを使用する際、表示がなされていないと、リハビリ用具Ｔにおける手の移動は、全て肩で代行できるため、肩領域表示部Ｎ１で肩を使用することを意識させ、肘領域表示部Ｎ２で肘を使用することを意識させ、手首領域表示部Ｎ３で手首を使用することを意識させて、一つのリハビリ用具Ｔで、図４（ａ）（ｂ）（ｃ）に示すように、手首、肘、肩のリハビリを行うことができるようにするためである。
【００４１】
従って、上述したリハビリ用具（リハビリ用具の移動体の移動方法）Ｔによれば、リハビリ用具Ｔを壁に掛け、又は、テーブルに載置して使用し、移動体２を手で把持又は固定部材２４を介して移動体２に手を固定して、手を移動させると、肩領域外側溝部１Ｓ１で肩を使用して移動体２を移動させれば肩のリハビリに、肘領域外側溝部１Ｓ２で肘を使用して移動体２を移動させれば肘のリハビリに、手首領域外側溝部１Ｓ３で手首を使用して移動体２を移動させれば手首のリハビリに、手首領域内側溝部１Ｕ１で手首を使用して移動体２を移動させれば手首のリハビリに、肘領域内側溝部１Ｕ２で肘を使用して移動体２を移動させれば肘のリハビリに、肩領域内側溝部１Ｕ３で肩を使用して移動体２を移動させれば肩のリハビリに、なる。つまり、一つのリハビリ用具Ｔで手首、肘、肩のリハビリを行うことができ、しかも、外側溝部１Ｓと内側溝部１Ｕは連通して、移動体２の循環路Ｚを形成しているため、一連の動作を連続的にも行うことができる等の効果を有する。
【００４２】
なお、上述の実施例においては、外側溝部１Ｓ及び内側溝部１Ｕと二つ設けたが、本願発明にあってはこれに限らず、例えば、図示しないが、外側溝部１Ｓ、内側溝部１Ｕの内、何れか一方を省略し、溝部（１Ｓ又は１Ｕ）を１個設けても良い。
すなわち、かかる場合のリハビリ用具Ｔは、本体１と、この本体１に設けられ、渦巻状に形成された溝部（１Ｓ又は１Ｕ）と、この溝部（１Ｓ又は１Ｕ）は、中心に向かって順次、肩を使用して移動体２を移動できる肩領域溝部（１Ｓ１又は１Ｕ１）、肘を使用して移動体２を移動できる肘領域溝部（１Ｓ２又は１Ｕ２）、手首を使用して移動体２を移動できる手首領域溝部（１Ｓ３又は１Ｕ３）を有し、溝部（１Ｓ又は１Ｕ）は、中心に向かって順次、肩を使用して移動体２を移動できる肩領域溝部（１Ｓ１又は１Ｕ１）、肘を使用して移動体２を移動できる肘領域溝部（１Ｓ２又は１Ｕ２）、手首を使用して移動体２を移動できる手首領域溝部（１Ｓ３又は１Ｕ３）を有する。
このリハビリ用具（リハビリ用具の移動体の移動方法）Ｔによれば、移動体２を手で把持又は固定部材（例えば、バンド）を介して移動体２に手を固定して、手を移動させると、肩領域溝部（１Ｓ１又は１Ｕ１）で肩を使用して移動体を移動させれば肩のリハビリに、肘領域溝部（１Ｓ２又は１Ｕ２）で肘を使用して移動体を移動させれば肘のリハビリに、手首領域溝部（１Ｓ３又は１Ｕ３）で手首を使用して移動体を移動させれば手首のリハビリに、なる。つまり、一つのリハビリ用具Ｔで手首、肘、肩のリハビリを行うことができる。
なお、溝部（１Ｓ又は１Ｕ）の肩を使用する肩領域に肩領域表示部Ｎ１、肘を使用する肘領域に肘領域表示部Ｎ２、手首を使用する手首領域に手首領域表示部Ｎ３が設けられるようにすると良い。
これは、リハビリ用具Ｔを使用する際、表示がなされていないと、リハビリ用具Ｔにおける手の移動は、全て肩で代行できるため、肩領域表示部Ｎ１で肩を使用することを意識させ、肘領域表示部Ｎ２で肘を使用することを意識させ、手首領域表示部Ｎ３で手首を使用することを意識させて、一つのリハビリ用具Ｔで、図４（ａ）（ｂ）（ｃ）に示すように、手首、肘、肩のリハビリを行うことができるようにするためである。
【００４３】
なお、上述の実施例においては、外側溝部１Ｓ及び内側溝部１Ｕを渦巻き形状に形成したが、本願発明にあってはこれに限らず、渦巻き形状に変えて、外側溝部１Ｓを中心に向かって順次、小さくなる多角形（例えば、図７に示す四角形、なお、四角形に限らず、三角形、五角形等の多角形にも同様に適用することができる。）を連通して形成し、内側溝部１Ｕを本体１に設けられ、多角形に形成された外側溝部１Ｓに連通し、外側溝部１Ｓの内側に位置すると共に、外側溝部１Ｓに沿って形成されるようにしても良い。
すなわち、かかる場合のリハビリ用具Ｔは、本体１と、この本体１に設けられ、中心に向かって順次、小さくなる多角形を連通して形成された外側溝部１Ｓと、本体１に設けられ、外側溝部１Ｓに連通し、外側溝部１Ｓの内側に位置すると共に、外側溝部１Ｓに沿って形成された内側溝部１Ｕと、この内側溝部１Ｕ及び外側溝部１Ｓに移動自在に設けられた移動体２とを備え、外側溝部１Ｓと内側溝部１Ｕは連通して、移動体２の循環路Ｚを形成し、外側溝部１Ｓは、中心に向かって順次、肩を使用して移動体２を移動できる肩領域外側溝部１Ｓ１、肘を使用して移動体２を移動できる肘領域外側溝部１Ｓ２、手首を使用して移動体２を移動できる手首領域外側溝部１Ｓ３を有し、内側溝部１Ｕは、中心に向かって順次、肩を使用して移動体２を移動できる肩領域内側溝部１Ｕ１、肘を使用して移動体２を移動できる肘領域内側溝部１Ｕ２、手首を使用して移動体２を移動できる手首領域内側溝部１Ｕ３を有するものである。
また、外側溝部１Ｓ及び／又は内側溝部１Ｕの肩を使用する肩領域に肩領域表示部（肩領域表示部は、図７に記載していないが、例えば、図６に記載の肩領域表示部Ｎ１である。）、肘を使用する肘領域に肘領域表示部（肘領域表示部は、図７に記載していないが、例えば、図６に記載の肘領域表示部Ｎ２である。）、手首を使用する手首領域に手首領域表示部（手首領域表示部は、図７に記載していないが、例えば、図６に記載の手首領域表示部Ｎ３である。）が設けられるようにすると良い。
これは、リハビリ用具Ｔを使用する際、表示がなされていないと、リハビリ用具Ｔにおける手の移動は、全て肩で代行できるため、肩領域表示部Ｎ１で肩を使用することを意識させ、肘領域表示部Ｎ２で肘を使用することを意識させ、手首領域表示部Ｎ３で手首を使用することを意識させて、一つのリハビリ用具Ｔで、図４（ａ）（ｂ）（ｃ）と同様に、手首、肘、肩のリハビリを行うことができるようにするためである。
【００４４】
従って、上述したリハビリ用具（リハビリ用具の移動体の移動方法）Ｔによれば、移動体２を手で把持又は固定部材（例えば、バンド）を介して移動体２に手を固定して、手を移動させると、肩領域外側溝部１Ｓ１で肩を使用して移動体を移動させれば肩のリハビリに、肘領域外側溝部１Ｓ２で肘を使用して移動体を移動させれば肘のリハビリに、手首領域外側溝部１Ｓ３で手首を使用して移動体を移動させれば手首のリハビリに、手首領域内側溝部１Ｕ３で手首を使用して移動体２を移動させれば手首のリハビリに、肘領域内側溝部１Ｕ２で肘を使用して移動体２を移動させれば肘のリハビリに、肩領域内側溝部１Ｕ１で肩を使用して移動体２を移動させれば肩のリハビリに、なる。つまり、一つのリハビリ用具Ｔで手首、肘、肩のリハビリを行うことができ、しかも、外側溝部１Ｓと内側溝部１Ｕは連通して、移動体２の循環路Ｚを形成しているため、一連の動作を連続的にも行うことができる。
【００４５】
なお、上述の実施例においては、外側溝部１Ｓ及び内側溝部１Ｕと二つ設けたが、本願発明にあってはこれに限らず、例えば、外側溝部１Ｓ、内側溝部１Ｕの内、何れか一方を省略し、溝部（１Ｓ又は１Ｕ）を１個設けても良い。
すなわち、かかる場合のリハビリ用具Ｔは、本体１と、この本体１に設けられ、中心に向かって順次、小さくなる多角形を連通して形成された溝部（１Ｓ又は１Ｕ）と、この溝部（１Ｓ又は１Ｕ）は、中心に向かって順次、肩を使用して移動体２を移動できる肩領域溝部（１Ｓ１又は１Ｕ１）、肘を使用して前記移動体を移動できる肘領域溝部（１Ｓ２又は１Ｕ２）、手首を使用して移動体２を移動できる手首領域溝部（１Ｓ３又は１Ｕ３）を有する
このリハビリ用具（リハビリ用具の移動体の移動方法）Ｔによれば、移動体２を手で把持又は固定部材（例えば、バンド）を介して移動体２に手を固定して、手を移動させると、肩領域溝部（１Ｓ１又は１Ｕ１）で肩を使用して移動体２を移動させれば肩のリハビリに、肘領域溝部（１Ｓ２又は１Ｕ２）で肘を使用して移動体２を移動させれば肘のリハビリに、手首領域溝部（１Ｓ３又は１Ｕ３）で手首を使用して移動体２を移動させれば手首のリハビリに、なるものである。つまり、一つのリハビリ用具Ｔで手首、肘、肩のリハビリを行うことができる。
また、溝部（１Ｓ又は１Ｕ）の肩を使用する肩領域に肩領域表示部（肩領域表示部は、図示していないが、例えば、図６に記載の肩領域表示部Ｎ１である。）、肘を使用する肘領域に肘領域表示部（肘領域表示部は、図示していないが、例えば、図６に記載の肘領域表示部Ｎ２である。）、手首を使用する手首領域に手首領域表示部（手首領域表示部は、図示していないが、例えば、図６に記載の手首領域表示部Ｎ３である。）が設けられるようにすると良い。
これは、リハビリ用具Ｔを使用する際、表示がなされていないと、リハビリ用具Ｔにおける手の移動は、全て肩で代行できるため、肩領域表示部Ｎ１で肩を使用することを意識させ、肘領域表示部Ｎ２で肘を使用することを意識させ、手首領域表示部Ｎ３で手首を使用することを意識させて、一つのリハビリ用具Ｔで、図４（ａ）（ｂ）（ｃ）と同様に、手首、肘、肩のリハビリを行うことができるようにするためである。
【００４６】
なお、上述の実施例においては、外側溝部１Ｓ及び内側溝部１Ｕを多角形形状に形成したが、本願発明はこれに限らず、例えば、図８に示すような曲線と直線を組み合わせたものでも良い。
すなわち、かかる場合のリハビリ用具Ｔは、図８に示すように、本体１と、この本体１に設けられ、曲線に形成された第１の曲線溝部１Ｑと、本体１に設けられ、第１の曲線溝部１Ｑに連通し、直線状に形成された直線状溝部１Ｔと、本体１に設けられ、直線状溝部１Ｔに連通し、曲線に形成された第２の曲線溝部２Ｑと、この第２の曲線溝部２Ｑ、直線状溝部１Ｔ及び第１の曲線溝部１Ｑに移動自在に設けられた移動体２とを備えている。
そして、第２の曲線溝部２Ｑの曲率は、第１の曲線溝部１Ｑの曲率より大であり、第１の曲線溝部１Ｑは、手首を使用して移動体２を移動できる手首使用領域であり、直線状溝部１Ｔは、肩を使用して前記移動体を移動できる肩領域であり、第２の曲線溝部２Ｑは、肘を使用して移動体２を移動できる肘領域である。
本体１の大きさは、例えば、４００ｍｍ×４００ｍｍでも良く、また、４００ｍｍ×１０００ｍｍと横長に形成しても良い。
このリハビリ用具（リハビリ用具の移動体の移動方法）Ｔによれば、移動体２を手で把持又は固定部材（例えば、図示しないが、上述の実施例と同様のバンド）を介して移動体２に手を固定して、手を移動させると、第１の曲線溝部１Ｑで手首を使用して移動体２を移動させれば手首のリハビリに、直線状溝部１Ｔで肩を使用して移動体２を移動させれば肩のリハビリに、第２の曲線溝部２Ｑで肘を使用して移動体２を移動させれば肘のリハビリに、なるものである。つまり、一つのリハビリ用具Ｔで手首、肘、肩のリハビリを行うことができる。
また、手首を使用する手首領域である第１の曲線溝部１Ｑの近傍に手首領域表示部Ｎ３、肘を使用して移動体２を移動できる肘領域である第２の曲線溝部２Ｑの近傍に肘領域表示部Ｎ２、肩を使用する肩領域である直線状溝部１Ｔの近傍に肩領域に肩領域表示部Ｎ１が設けられるようにすると良い。
これは、リハビリ用具Ｔを使用する際、表示がなされていないと、リハビリ用具Ｔにおける手の移動は、全て肩で代行できるため、肩領域表示部Ｎ１で肩を使用することを意識させ、肘領域表示部Ｎ２で肘を使用することを意識させ、手首領域表示部Ｎ３で手首を使用することを意識させて、一つのリハビリ用具Ｔで、図４（ａ）（ｂ）（ｃ）と同様に、手首、肘、肩のリハビリを行うことができるようにするためである。
【００４７】
次に、図９記載のリハビリ用具Ｔについて、説明する。
リハビリ用具Ｔは、本体１と、この本体１に設けられ、直線状に形成された第１’の直線状溝部１’Ｔと、本体１に設けられ、第１’の直線状溝部１’Ｔに連通し、曲線に形成された第１’の曲線溝部１’Ｑと、本体１に設けられ、第１’の曲線溝部１’Ｑに連通し、直線状に形成された第２’の直線状溝部２’Ｔと、本体１に設けられ、第２’の直線状溝部２’Ｔに連通し、曲線に形成された第２’の曲線溝部２’Ｑと、本体１に設けられ、第２’の曲線溝部２’Ｑに連通し、直線状に形成された第３’の直線状溝部３’Ｔと、本体１に設けられ、第３’の直線状溝部３’Ｔに連通し、曲線に形成された第３’の曲線溝部３’Ｑと、本体１に設けられ、第３’の曲線溝部３’Ｑに連通し、直線状に形成された第４’の直線状溝部４’Ｔと、本体１に設けられ、第４’の直線状溝部４’Ｔに連通し、折り返す第１の折り返し溝部１’Ｒと、本体１に設けられ、第１の折り返し溝部１’Ｒに連通し、直線状に形成された第５’の直線状溝部５’Ｔと、本体１に設けられ、第５’の直線状溝部５’Ｔに連通し、曲線に形成された第４’の曲線溝部４’Ｑと、本体１に設けられ、第４’の曲線溝部４’Ｑに連通し、直線状に形成された第６’の直線状溝部６’Ｔと、本体１に設けられ、第６’の直線状溝部６’Ｔ１に連通し、曲線に形成された第５’の曲線溝部５’Ｑと、本体１に設けられ、第５’の曲線溝部５’Ｑに連通し、直線状に形成された第７’の直線状溝部７’Ｔと、本体１に設けられ、第７’の直線状溝部７’Ｔに連通し、曲線に形成された第６’の曲線溝部６’Ｑと、本体１に設けられ、第６’の曲線溝部６’Ｑに連通し、直線状に形成された第８’の直線状溝部８’Ｔと、本体１に設けられ、第８’の直線状溝部８’Ｔと第１’の直線状溝部１’Ｔに連通し、折り返す第２の折り返し溝部２’Ｒとを備えている。
これら第１’の直線状溝部１’Ｔ、第１’の曲線溝部１’Ｑ、第２’の直線状溝部２’Ｔ、第２’の曲線溝部２’Ｑ、第３’の直線状溝部３’Ｔ、第３’の曲線溝部３’Ｑ、第４’の直線状溝部４’Ｔ、第１の折り返し溝部１’Ｒ、第５’の直線状溝部５’Ｔ、第４’の曲線溝部４’Ｑ、第６’の直線状溝部６’Ｔ、第５’の曲線溝部５’Ｑ、第７’の直線状溝部７’Ｔ、第６’の曲線溝部６’Ｑ、第８’の直線状溝部８’Ｔ、第２の折り返し溝部２’Ｒは、連通すると共に、移動自在に移動体２が設けられている。
第１’の直線状溝部１’Ｔ、第２’の直線状溝部２’Ｔ、第３’の直線状溝部３’Ｔ、第４’の直線状溝部４’Ｔ、第５’の直線状溝部５’Ｔ、第６’の直線状溝部６’Ｔ、第７’の直線状溝部７’Ｔ、第８’の直線状溝部８’Ｔは、肩を使用して移動体２を移動できる肩領域であり、
第１’の曲線溝部１’Ｑ、第２’の曲線溝部２’Ｑ、第３’の曲線溝部３’Ｑ、’Ｒ、第４’の曲線溝部４’Ｑ、第５’の曲線溝部５’Ｑ、第６’の曲線溝部６’Ｑは、肘を使用して移動体２を移動できる肘使用領域であり
第１の折り返し溝部１’Ｒ、第２の折り返し溝部２’Ｒは、手首を使用して移動体２を移動できる手首使用領域である。
この図９記載のリハビリ用具（リハビリ用具の移動体の移動方法）Ｔによれば、移動体２を手で把持又は固定部材（例えば、図示しないが、上述の実施例と同様のバンド）を介して移動体２に手を固定して、手を移動させると、折り返し溝部１’Ｒ、２’Ｒで手首を使用して移動体２を移動させれば手首のリハビリに、直線状溝部１’Ｔ、２’Ｔ、３’Ｔ、４’Ｔ、５’Ｔ、６’Ｔ、７’Ｔ、８’Ｔで肩を使用して移動体２を移動させれば肩のリハビリに、曲線溝部１’Ｑ、２’Ｑ、３’Ｑ、４’Ｑ、５’Ｑ、６’Ｑで肘を使用して移動体を移動させれば肘のリハビリに、なるものである。つまり、一つのリハビリ用具Ｔで手首、肘、肩のリハビリを行うことができ、しかも、直線状溝部から曲線溝部又は曲線溝部から直線状溝部への移動の際、手の移動動作が異なることを知らせる表示部Ｎ'［表示部Ｎ’は、文字でも良いが、文字の代わりに、色を使って、例えば、直線状溝部Ｎ’の近傍に沿って赤色（第１の表示部Ｎ’１）を、曲線溝部の近傍に沿って黄色（第２の表示部Ｎ’２）を，直線状溝部Ｎ’の近傍に沿って緑色（第３の表示部Ｎ’３）を、曲線溝部の近傍に沿って青色（第４の表示部Ｎ’４）を，直線状溝部Ｎ’の近傍に沿って赤色（第５の表示部Ｎ’５）を、曲線溝部の近傍に沿って黄色（第６の表示部Ｎ’６）を，直線状溝部Ｎ’の近傍に沿って緑色（第７の表示部Ｎ’７）を、付して行うことができる。）を付すようにして、直線移動と曲線移動は移動動作が異なることを脳卒中等の患者に知らせ、患者に考えさせて、移行動作のリハビリを行うことができる。
なお、図９記載のリハビリ用具（リハビリ用具の移動体の移動方法）Ｔにあっては、少なくとも、本体１と、この本体１に設けられ、折り返す折り返し溝部２’Ｒと、本体１に設けられ、折り返し溝部２’Ｒに連通し、直線状に形成された直線状溝部１’Ｔと、本体１に設けられ、直線状溝部１’Ｔに連通し、曲線に形成された曲線溝部１’Ｑと、この曲線溝部１’Ｑ、直線状溝部１’Ｔ及び折り返し溝部２’Ｒに移動自在に設けられた移動体２と、直線状溝部１’Ｔから曲線溝部１’Ｑへの移動の際、手の移動動作が異なることを知らせる表示部Ｎ’１，Ｎ’２とを備えていれば良い。なお、表示部Ｎ’１，Ｎ’２は、文字でも良いが、文字の代わりに、色を使って、例えば、直線状溝部の近傍に沿って赤色を付した表示部Ｎ’１を、曲線溝部の近傍に沿って黄色表示部Ｎ’２を付して行うことができる。
【符号の説明】
【００４８】
Ｔ      リハビリ用具
Ｚ      循環路
１      本体
１Ｓ    外側溝部
１Ｓ１  肩領域外側溝部
１Ｓ２  肘領域外側溝部
１Ｓ３  肘領域外側溝部
１Ｕ    内側溝部
１Ｕ１  肩領域内側溝部
１Ｕ２  肘領域内側溝部
１Ｕ３  手首領域内側溝部
２      移動体
【図１】
2018175262.tif 000003
【図２】
2018175262.tif 000004
【図３】
2018175262.tif 000005
【図４】
2018175262.tif 000006
【図５】
2018175262.tif 000007
【図６】
2018175262.tif 000008
【図７】
2018175262.tif 000009
【図８】
2018175262.tif 000010
【図９】
2018175262.tif 000011